(57)【特許請求の範囲】
【請求項１】
縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記シャーシの身体側に位置する一対の漏れバリアカフと、前記吸液構造体の前記横方向外側に位置する一対のガスケットカフとを含む着用物品において、
前記吸液構造体は、前記縦方向に離間する前後部と、前記前後部の間に位置して前記横方向の長さ寸法が前記前後部の前記横方向の長さ寸法よりも小さく形成されている中間部とを含み、
前記漏れバリアカフは、前記シャーシに接合される近位縁と、前記縦方向に伸縮可能に弾性化され前記シャーシから前記身体側へと離間可能な遠位縁と、前記近位縁と前記遠位縁との間に位置し前記縦方向に延びる仮想折曲線とを含むとともに、前記仮想折曲線に沿って折り曲げられ、
前記遠位縁は、前記仮想折曲線の前記横方向外側に位置し、前記前後部に重なる位置の少なくとも一部で前記吸液構造体に接合されて前記縦方向へ延びる前後接合領域が形成され、
前記前接合領域は、前記後接合領域よりも前記縦方向の長さ寸法が大きく形成されることを特徴とする前記着用物品。
【請求項２】
前記前後接合領域は、前記横方向において、前記遠位縁から前記仮想折曲線まで延びて形成される請求項１記載の着用物品。
【請求項３】
前記吸液構造体の前記反対側に位置し、前記吸液構造体の前記反対側の面を覆う外装シートを含み、
前記ガスケットカフおよび前記漏れバリアカフは、前記外装シートによって形成される請求項１または２記載の着用物品。
【請求項４】
前記ガスケットカフは、前記縦方向に延びる複数本の弾性部材によって弾性化され、
前記ガスケットカフの前記弾性部材は、前記中間部に対応する位置において、前記吸液構造体の前記横方向の外側に取り付けられ、前記前後部に対応する位置では取り付けられていない請求項１〜３のいずれかに記載の着用物品。
【請求項５】
前記漏れバリアカフは、前記縦方向へ延びる複数本の弾性部材によって弾性化され、前記漏れバリアカフの前記弾性部材の少なくとも一本は、前記近位縁と前記仮想折曲線との間に配置される請求項１〜４のいずれかに記載の着用物品。
【請求項６】
前記前接合領域は、前記前ウエスト域の前記縦方向の長さ寸法の４５〜７０％の長さ寸法を有し、前記後接合領域は、前記後ウエスト域の前記縦方向の長さ寸法の３０〜５０％の長さ寸法を有する請求項１〜５のいずれか記載の着用物品。
【請求項７】
前記ガスケットカフは、前記横方向内側に位置する内側縁と、外側に位置するとともに前記縦方向に伸縮可能に弾性化された外側縁とを含み、前記漏れバリアカフの前記遠位縁の伸張応力は、前記ガスケットカフの前記外側縁の伸張応力よりも大きくされる請求項１〜６のいずれかに記載の着用物品。
【請求項８】
前記吸液構造体は、吸液性芯材を含み、前記吸液性芯材は、前記中間部の前記横方向の長さ寸法が、前記前後部の前記横方向の長さ寸法よりも小さく形成され、前記漏れバリアカフの前記近位縁は、前記中間部において前記吸液性芯材に重なることなく前記シャーシに接合される請求項１〜７のいずれかに記載の着用物品。
【請求項９】
前記前後ウエスト域は、前記横方向に延びる複数本の弾性部材によって弾性化され、前記前後ウエスト域の前記弾性部材の少なくとも一部は、前記前後接合領域に重なる請求項１〜８のいずれかに記載の着用物品。
【請求項１０】
前記漏れバリアカフの前記近位縁から前記遠位縁までの長さ寸法は、前記ガスケットカフの前記内側縁から前記外側縁までの長さ寸法よりも長く形成される請求項７記載の着用物品。
【請求項１１】
前記シャーシは、前記後ウエスト域の前記クロッチ域側に位置して前記後ウエスト域の前記縦方向の長さ寸法が前記前ウエスト域のそれよりも大きくなるように前記クロッチ域側に向かって延出する下端領域を含み、
前記ガスケットカフは、前記縦方向に延びる複数本の弾性部材によって弾性化され、前記ガスケットカフの前記弾性部材が、前記下端領域の前記弾性部材の少なくとも一部に重なって取り付けられる請求項９記載の着用物品。
【発明の詳細な説明】
【技術分野】
【０００１】
この発明は、着用物品に関し、さらに詳しくは使い捨てのおむつ、排泄トレーニングパンツ、失禁ブリーフ等に関する。
【背景技術】
【０００２】
従来、液保持特性を有する吸液構造体と、尿漏れ等を防止する漏れ防止カフとを有する使い捨ておむつが知られている。例えば、特許文献１によれば、おむつは前後ウエスト域とクロッチ域とを有し、吸液構造体の身体側に漏れ防止カフが取り付けられている。漏れ防止カフは、横方向内側に位置する自由端で外側に向かって折り返され、縦方向に離間する両端部分において、折返し状態を維持するように、これら両端部分が吸液構造体側に固定されている。漏れ防止カフの自由端には、弾性部材が取り付けられ、前記固定された両端部分の間ではカフが身体側へ起立するように離間する。このような漏れ防止カフによっておむつ内部から尿等の排泄物が漏れるのを防止している。
【先行技術文献】
【特許文献】
【０００３】
【特許文献１】特開２００１−１３７２８２号公報（ＪＰ  ２００１−１３７２８２  Ａ）
【発明の概要】
【発明が解決しようとする課題】
【０００４】
漏れ防止カフは、クロッチ域から前後ウエスト域に縦方向へと延びて形成され、その両端部分で自由端が吸液構造体側に固定されているから、クロッチ域だけでなく前後ウエスト域においても固定された両端部分以外の自由端が身体側へと起立する。したがって、前後ウエスト域においても吸液構造体と着用者の身体とが離間され、これら吸液構造体と身体との間に空隙が形成される。このように空隙が形成されると、排泄された尿等は空隙を移動して、おむつから漏れてしまう可能性があった。
【０００５】
この発明は、前後ウエスト域において吸収体等の吸液構造体が着用者の身体から離間することがなく、着用者と吸液構造体との空隙形成による尿等の漏れを防止することができる着用物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記シャーシの身体側に位置する一対の漏れバリアカフと、前記吸液構造体の前記横方向外側に位置する一対のガスケットカフとを含む着用物品の改良に関わる。
【０００７】
この発明は、前記着用物品において、前記吸液構造体は、前記縦方向に離間する前後部と、前記前後部の間に位置して前記横方向の長さ寸法が前記前後部の前記横方向の長さ寸法よりも小さく形成されている中間部とを含み、前記漏れバリアカフは、前記シャーシに接合される近位縁と、前記縦方向に伸縮可能に弾性化され前記シャーシから前記身体側へと離間可能な遠位縁と、前記近位縁と前記遠位縁との間に位置し前記縦方向に延びる仮想折曲線とを含むとともに、前記仮想折曲線に沿って折り曲げられ、前記遠位縁は、前記仮想折曲線の前記横方向外側に位置し、前記前後部に重なる位置の少なくとも一部で前記吸液構造体に接合されて前記縦方向へ延びる前後接合領域が形成され、前記前接合領域は、前記後接合領域よりも前記縦方向の長さ寸法が大きく形成されることを特徴とする。
この発明の好ましい実施形態のひとつとして、前記前後接合領域は、前記横方向において、前記遠位縁から前記仮想折曲線まで延びて形成される。
この発明の好ましい実施形態のひとつとして、前記吸液構造体の前記反対側に位置し、前記吸液構造体の前記反対側の面を覆う外装シートを含み、前記ガスケットカフおよび前記漏れバリアカフは、前記外装シートによって形成される。
この発明の好ましい実施形態のひとつとして、前記ガスケットカフは、前記縦方向に延びる複数本の弾性部材によって弾性化され、前記ガスケットカフの前記弾性部材は、前記中間部に対応する位置において、前記吸液構造体の前記横方向の外側に取り付けられ、前記前後部に対応する位置では取り付けられていない。
【０００８】
この発明の好ましい実施態様のひとつとして、前記漏れバリアカフは、前記縦方向へ延びる複数本の弾性部材によって弾性化され、前記弾性部材の少なくとも一本は、前記近位縁と前記仮想折曲線との間に配置される。
【０００９】
好ましい他の実施態様のひとつとして、前記前接合領域は、前記前ウエスト域の前記縦方向の長さ寸法の４５〜７０％の長さ寸法を有し、前記後接合域は、前記後ウエスト域の前記縦方向の長さ寸法の３０〜５０％の長さ寸法を有する。
【００１１】
好ましい他の実施態様のひとつとして、前記ガスケットカフは、前記横方向内側に位置する内側縁と、外側に位置するとともに前記縦方向に伸縮可能に弾性化された外側縁とを含み、前記漏れバリアカフの前記遠位縁の伸張応力は、前記ガスケットカフの前記外側縁の伸張応力よりも大きくされる。
【００１２】
好ましい他の実施態様のひとつとして、前記吸液構造体は、吸液性芯材を含み、前記吸液性芯材は、前記中央部の前記横方向の長さ寸法が、前記前後部の前記横方向の長さ寸法よりも小さく形成され、前記漏れバリアカフの前記近位縁は、前記中央部において前記吸液性芯材に重なることなく前記シャーシに接合される。
【００１３】
好ましい他の実施形態のひとつとして、前記前後ウエスト域は、前記横方向に延びる複数本の弾性部材によって弾性化され、前記弾性部材の少なくとも一部は、前記前後接合領域に重なる。
【００１４】
好ましい他の実施形態のひとつとして、前記漏れバリアカフの前記近位縁から前記遠位縁までの長さ寸法は、前記ガスケットカフの前記内側縁から前記外側縁までの長さ寸法よりも長く形成される。
【００１５】
好ましい他の実施形態のひとつとして、前記シャーシは、前記後ウエスト域の前記縦方向の長さ寸法が、前記前ウエスト域のそれよりも大きくされ、前記後ウエスト域の前記クロッチ域側において、前記前ウエスト域から延出する下端領域を含み、前記ガスケットカフは、前記縦方向に延びる複数本の弾性部材によって弾性化され、前記ガスケットカフの弾性部材が、前記下端領域の弾性部材の少なくとも一部に重なって取り付けられる
【発明の効果】
【００１６】
この発明は、漏れバリアカフは、仮想折曲線に沿って折り曲げられるとともに、遠位縁は、吸液構造体の前後部に重なって、前後接合領域によって吸液構造体に接合されている。したがって、前後ウエスト域において前後吸液構造体が着用者の身体から離間することがなく、着用者と吸液構造体との空隙形成による尿等の漏れを防止することができる。
【図面の簡単な説明】
【００１７】
【図１】おむつの斜視図。
【図２】おむつの身体側から見た展開平面図。
【図３】図２のＩＩＩ−ＩＩＩ線断面図。
【図４】図２のＩＶ−ＩＶ線断面図。
【図５】図２の分解組立図。
【図６】おむつの平面図。
【発明を実施するための形態】
【００１８】
図１〜６は、この発明の一実施形態を示すものであり、着用物品として使い捨ておむつを例に挙げて説明する。
【００１９】
図１は、おむつ１０のウエスト開口およびレッグ開口が環状に保たれた状態の斜視図であり、図２は、おむつ１０の身体側から見た展開平面図であって、おむつの各弾性体をその収縮力に抗して伸長させ、おむつ１０を平面に保った状態を示したものであり、図３は、図２のＩＩＩ−ＩＩＩ線断面図、図４は、図２のＩＶ−ＩＶ線断面図、図５は、図２の分解組立図、図６は、おむつ１０の平面図であってウエスト開口およびレッグ開口の環状がつぶれて閉じられた状態である。図３および図４において、仮想縦中心線Ｐ-Ｐよりも図の右側は、各弾性体が収縮した状態を表している。
【００２０】
おむつ１０は、縦方向Ｙおよび横方向Ｘと、身体側およびその反対側である着衣側と、前ウエスト域１１、後ウエスト域１２、前後ウエスト域１１，１２の間に位置するクロッチ域１３とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを含み、仮想縦中心線Ｐ−Ｐに対してほぼ対称に形成されている。
【００２１】
おむつ１０は、前ウエスト域１１を形成する前ウエスト部材２０と、後ウエスト域１２を形成する後ウエスト部材３０と、クロッチ域１３を形成するとともに前後ウエスト域１１，１２へと延びるクロッチ部材４０とを含む。前後ウエスト部材２０，３０およびクロッチ部材４０の一部によって、この発明のシャーシを形成している。
【００２２】
前ウエスト部材２０は、身体側に位置する前内面シート２１と、着衣側に位置する前外面シート２２と、これらシート２１，２２の間に取り付けられた前弾性部材２３とを含む。後ウエスト部材３０は、身体側に位置する後内面シート３１と、着衣側に位置する後外面シート３２と、これらシート３１，３２の間に取り付けられた後弾性部材３３とを含む。前後弾性部材２３，３３は、横方向Ｘに延びるとともに、伸長状態で収縮可能に取り付けられ、前後ウエスト域１１，１２を横方向Ｘに弾性化している。前後弾性部材２３，３３は、縦方向Ｙに所与寸法離間して取り付けられている。
【００２３】
後ウエスト部材３０は、前ウエスト部材２０よりも縦方向Ｙの長さ寸法が大きく、後ウエスト部材３０の縦方向Ｙのクロッチ域１３側、すなわち仮想横中心線Ｑ−Ｑ側には、図２に示すように、後ウエスト部材３０の縦方向Ｙの長さ寸法が前ウエスト域２０のそれよりも大きくなるようにクロッチ域１３側に向かって延出した下端領域３０ａが形成されている。下端領域３０ａでは、後弾性部材３３の離間寸法が他の領域のそれよりも大きくされている。このように離間寸法を大きくすることによって後内外面シート３１，３２の剛性を大きくすることなく、やわらかい風合いを維持することができる。また、下端領域３０ａに取り付けられた後弾性部材３３によって、下端領域３０ａを着用者の肌へと押し付けることができ、これが妄りに折れたりめくれたりするのを防止することができる。
【００２４】
上記のような前後ウエスト部材２０，３０は、その両側縁２４，３４が互いに接合されて、環状のウエスト開口を形成している。
図２に示したように、前後ウエスト部材２０，３０は、その縦方向Ｙの外側に位置する外端縁２６，３６が仮想横中心線Ｑ-Ｑに向かって折り返されてそれぞれ前後スリーブ部２５，３５が形成されている。前後スリーブ部２５，３５は、クロッチ部材４０の端部を覆っている。クロッチ部材４０は、前後ウエスト域１１，１２において、その着衣側が前後内面シート２１，３１に接合されている。
【００２５】
クロッチ部材４０は、吸液構造体４１と、吸液構造体４１の内面を覆い身体側に位置する内装シート４２と、吸液構造体４１の外面を覆う漏れ防止シート４３と、漏れ防止シート４３の外面であって着衣側に位置する外装シート４４とを含む。吸液構造体４１は、ティッシュペーパーなどの液拡散性シートで覆われた吸液性芯材を含み、吸液性芯材としては、フラッフパルプや高吸収性ポリマー粒子等を用いることができる。このような吸液構造体４１は、横方向Ｘの長さ寸法が仮想横中心線Ｑ−Ｑに向かって小さくなり、全体として砂時計型を形成している。すなわち、吸液構造体４１は、縦方向Ｙの外側に位置する前後部４５，４６と、前後部４５，４６の間に位置する中間部４７とを含み、中間部４７の横方向Ｘの長さ寸法が前後部４５，４６のそれよりも小さくされている。
【００２６】
吸液構造体４１は、その縦方向Ｙの長さ寸法を約３００〜４００ｍｍ、好ましくは約３３５〜３８０ｍｍとされている。内装シート４２および漏れ防止シート４３は、吸液構造体４１の縦方向Ｙの長さ寸法よりも大きく、その寸法を約３５０〜４５０ｍｍ、好ましくは約３７５〜４３０ｍｍとされている。このようなクロッチ部材４０の縦方向Ｙの前後端部には吸液構造体４１が存在しない、すなわち内装シート４２および漏れ防止シート４３のみで形成された前後フラップ部４８，４９が形成される。これら前後フラップ部４８，４９において、内装シート４２と漏れ防止シート４３とは、ホットメルト接着剤等の接着手段によって互いに接合されている。
【００２７】
内装シート４２として、透液性の繊維不織布等を用いることができる。この内装シート４２は、例えば、単位面積当たりの質量が約１０〜２５ｇ／ｍ２のエアースルー繊維不織布、ポイントボンド繊維不織布、スパンボンド繊維不織布等を用いることができる。
【００２８】
漏れ防止シート４３として、透湿性かつ不透液性のプラスチックフィルムを用いることができ、少なくともこのシート４３で吸液構造体４１全体を覆って、尿等の体液がおむつ１０外に漏れないようにしている。
【００２９】
外装シート４４は、透湿性かつ不透液性の繊維不織布等を用いることができる。この外装シート４４は、例えば、単位面積当たりの質量が約１０〜２５ｇ／ｍ２のスパンボンド・メルトブローン・スパンボンド（ＳＭＳ）繊維不織布、ポイントボンド繊維不織布、スパンボンド繊維不織布等を用いることができる。
【００３０】
外装シート４４によって、ガスケットカフ５０および漏れバリアカフ６０を形成している。ガスケットカフ５０は、吸液構造体４１の外面から延出した外装シート４４が、吸液構造体４１の横方向Ｘ外側において折り畳まれることによって形成される第１および第２スリーブ５１，６１によってそれぞれ形成される（図２〜５参照）。
【００３１】
ガスケットカフ５０は、第１スリーブ５１の横方向Ｘ内側における内側縁５２と、その反対側の外側縁５３とを形成している。第１スリーブ５１内面では、縦方向Ｙに延びるガスケット弾性部材５５が伸長状態で収縮可能に取り付けられて、ガスケットカフ５０が縦方向Ｙに弾性化されている。このような第１スリーブ５１の内面、すなわち、外装シート４４の間には、吸液構造体４１の外面から横方向Ｘ外側に延出した漏れ防止シート４３の側縁部分が位置している。第１スリーブ５１内面では、外装シート４４，漏れ防止シート４３，ガスケット弾性部材５５が、接着剤等の接合手段を介して互いに接合され、ガスケット接合領域５６を形成している。ガスケット接合領域５６は、クロッチ部材４０の縦方向Ｙに連続して延びている。
【００３２】
ガスケット弾性部材５５は、横方向Ｘに互いに離間する第１〜第３ガスケット弾性部材５５ａ〜５５ｃを含む。第１ガスケット弾性部材５５ａは、外側縁５３に沿って延び、第３ガスケット弾性部材５５ｃは、内側縁５２に沿って延び、第２ガスケット弾性部材５５ｂは、これらの間に沿って延びる。このように弾性部材によって、ガスケットカフ５０を縦方向Ｙに弾性化させることができ、ガスケットカフ５０が内側縁５２を基点として、外側縁５３を起立させるようにしてこれを着用者の脚の付け根近傍に密着させることができる。したがって、着用者の脚周りからの尿等の漏れを防止することができる。
【００３３】
ガスケット弾性部材５５は、後ウエスト部材３０の下端領域３０ａに取り付けられた後弾性部材３３に重なって交差するように取り付けられる。したがって、下端領域３０ａを縦方向Ｙに対しても弾性化することができ、下端領域３０ａを着用者の臀部の曲線に沿って密着させることができる。特にこの実施形態のように、前後ウエスト部材２０，３０とクロッチ部材４０とが別部材で形成されたおむつでは、クロッチ部材４０が前後ウエスト部材２０，３０に対して相対的に移動しやすく、クロッチ域１３がぐらつきやすい。しかし、下端領域３０ａを着用者に密着させることによって、このぐらつきを抑制することができる。
【００３４】
第１〜第３ガスケット弾性部材５５ａ〜５５ｃとして、約４７０〜１２４０ｄｔｅｘの弾性糸をそれぞれ使用することができ、その伸長率を約１．５〜３．０倍としている。第１〜第３ガスケット弾性部材５５ａ〜５５ｃは、横方向Ｘにおいて互いに約３〜２０ｍｍ離間して取り付けられている。この離間距離を３ｍｍ以上にすることによって、弾性部材が互いに重なり合って着用者の肌に接触するのを防止することができ、肌にギャザー跡がつくのを防止することができる。離間距離を２０ｍｍ以下にすることによって、確実にガスケットカフ５０を起立させて着用者の肌に当接させることができる。
【００３５】
第１〜第３ガスケット弾性部材５５ａ〜５５ｃは、吸液構造体４１の中間部４７に対応する位置においては、その横方向Ｘ外側に取り付けられ、前後部４５，４６に対応する位置においては取り付けられていないか、または、僅かに延びて取り付けられている。すなわち、実質的に、第１〜第３ガスケット弾性部材５５ａ〜５５ｃは、前後部４５，４６においてその収縮力を吸液構造体４１には作用させないように取り付けられている。したがって、これら第１〜第３ガスケット弾性部材５５ａ〜５５ｃによって、前後部４５，４６にしわが生じるのを防止することができる。
【００３６】
第３ガスケット弾性部材５５ｃは、吸液構造体４１の中間部４７に位置する側縁から外側へ約５〜１５ｍｍ離間している。離間寸法を５ｍｍ以上にすることによって、中間部４７にしわを発生させるのを防止することができるとともに、中間部４７の剛性によって第３ガスケット弾性部材５５ｃの所要の収縮を阻害しないようにすることができる。第３ガスケット弾性部材５５ｃの離間距離を１５ｍｍ以下にすることで、該弾性部材の所要の収縮によって吸液構造体４１の側縁を着用者の身体側に押し付けることができる。
【００３７】
漏れバリアカフ６０は、ガスケットカフ５０の内側縁５２からさらに延びる外装シート４４が折り畳まれた第２スリーブ６１によって形成される。外装シート４４は、第２スリーブ６１内面で互いに接合され、内側縁５２に連続する近位縁６２と、近位縁６２よりも身体側に位置する遠位縁６３とを含む。内側縁５２と近位縁６２とは、実質的に同じ部分を示している。したがって、近位縁６２は、内側縁５２とともに漏れ防止シート４３介して、その縦方向Ｙ全域において外装シート４４に接合されている。
【００３８】
第２スリーブ６１内には、縦方向Ｙに延びるバリア弾性部材６４が伸長状態で収縮可能に取り付けられ、漏れバリアカフ６０が縦方向Ｙに弾性化されている。バリア弾性部材６４は、遠位縁６３から近位縁６２へと向かって第１〜第４バリア弾性部材６４ａ〜６４ｄの４本の弾性部材を含む。
【００３９】
第１〜第４バリア弾性部材６４ａ〜６４ｄとして、約４７０〜１２４０ｄｔｅｘの弾性糸を使用することができ、約１．５〜３．０倍の伸長率にすることができる。第１〜第４バリア弾性部材６４ａ〜６４ｄは、横方向Ｘにおいて互いに約３〜２０ｍｍ離間して取り付けられている。この離間距離を３ｍｍ以上にすることによって、弾性部材が重なり合って着用者の肌に接触するのを防止することができ、肌にギャザー跡がつくのを防止することができる。離間距離を２０ｍｍ以下にすることによって、確実に漏れバリアカフ６０を起立させて着用者の肌に当接させることができる。
【００４０】
第４バリア弾性部材６４ｄは、ガスケットカフ５０の内側縁５２から遠位縁６３の側へ約５ｍｍ以上離間している。離間寸法を５ｍｍ以上にすることによって、内側縁５２および近位縁６２を着用者の脚の付け根近傍に密着させることができる。
第１〜第４バリア弾性部材６４ａ〜６４ｄは、吸液構造体４１の中間部４７の横方向Ｘ外側に位置するとともに、前後部４５，４６に向かって延びて取り付けられている。
【００４１】
漏れバリアカフ６０の近位縁６２と遠位縁６３との間であって、第３バリア弾性部材６４ｃと第４バリア弾性部材６４ｄとの間には、縦方向Ｙに延びる仮想折曲線６５が形成されている。漏れバリアカフ６０は、バリア弾性部材６４の非伸縮状態において、仮想折曲線６５に沿って折り畳まれ、遠位縁６３が仮想折曲線６５よりも横方向Ｘ外側に位置するようにされている。折り畳まれた漏れバリアカフ６０は、吸液構造体４１の前後部４５，４６では、その身体側において重なり、中間部４７では重なることなく、その横方向Ｘ外側に位置している。
【００４２】
折り曲げられた漏れバリアカフ６０は、吸液構造体４１の前後部４５，４６で、接着剤等の接合手段を介して内装シート４２に接合され、前後接合領域６６，６７が形成されている。前後接合領域６６，６７は、縦方向Ｙに延びている。
【００４３】
上記のようなおむつにおいて、漏れバリアカフ６０の遠位縁６３が内装シート４２から離間するように起立して、着用者の脚の付け根近傍に密着するとともに、ガスケットカフ５０の外側縁５３が、遠位縁６３の横方向Ｘ外側において着用者の太ももの周りに密着する。すなわち、これら漏れバリアカフ６０とガスケットカフ５０とによって二重のカフを形成し、脚周りからの尿等の漏れを防止することができる。
【００４４】
上記のような漏れバリアカフ６０の縦方向Ｙの伸張応力は、ガスケットカフ５０の縦方向Ｙの伸張応力よりも大きくされている。このように形成することによって、ガスケットカフ５０よりも内側に位置する漏れバリアカフ６０が、着用者の太ももに面で接触するようにして密着することができる。また、これらカフ５０，６０が離間して着用者に接触するとともに、二段階で尿等の漏れを防止することができる。ガスケットカフ５０および漏れバリアカフ６０の縦方向Ｙの伸張応力は、各弾性部材の本数や太さによって種々設定可能であり、伸張応力の大小関係も上記の如く限定されるものではなく適宜設定可能である。
【００４５】
漏れバリアカフ６０の近位縁６２から遠位縁６３までの長さ寸法は、約２６０〜３００ｍｍ、好ましくは約２９０ｍｍであり、ガスケットカフ５０の内側縁５２から外側縁５３までの長さ寸法は、約２００〜３５０ｍｍ、好ましくは約２３０〜２７０ｍｍであり、漏れバリアカフ６０の長さ寸法がガスケットカフ５０の長さ寸法よりも大きくなるようにしている。このような寸法関係および上記伸張応力関係にすることによって、図６に示したように、ガスケットカフ５０の内側から漏れバリアカフ６０が延出する。これをおむつ１０の内側から見た場合には、漏れバリアカフ６０によって形成されたレッグ開口のみが目視され、ガスケットカフ５０は漏れバリアカフ６０に隠れて見えなくなる。すなわち、レッグ開口がひとつのみ確認することができ、これに着用者の脚を通せばよいので、その着用が容易である。また、二重のカフで、尿等の漏れを防止可能であることを着用者やその親等の介助者に知らせることができ、安心感を抱かせることができる。
【００４６】
漏れバリアカフ６０は、吸液構造体４１の前後部４５，４６と重なる位置において、折り畳まれた領域が前後接合領域６６，６７によって接合されているので、バリア弾性部材６４が収縮したとしても、遠位縁６３が起立するようなことはない。したがって、吸液構造体４１は、常に着用者の身体に広い領域で接触することができ、身体との間に空隙を形成することがなく、尿等が流れてウエスト開口等から漏れるのを防止することができる。また、前接合領域６６の縦方向Ｙの長さ寸法を、後接合領域６７よりも大きくなるようにすることによって、前ウエスト域１１側では、吸液構造体４１を着用者の身体に密着させ、後ウエスト域１２側では、漏れバリアカフ６０の起立領域を大きくすることができる。
【００４７】
バリア弾性部材６４は、その第４バリア弾性部材６４ｄが、近位縁６２と仮想折曲線６５との間に位置しているので、これら間の剛性を大きくして漏れバリアカフ６０を確実に起立させることができ、遠位縁６３を着用者の鼠蹊部近傍に当接させることができる。
【００４８】
この発明のおむつの縦方向Ｙの長さ寸法は、約４００〜５２０ｍｍであり、好ましくは約４１０〜４５０ｍｍ、この実施形態では４１５ｍｍとしている。同様にクロッチ部材４０の縦方向Ｙの長さ寸法は、約３７０〜４５０ｍｍ、好ましくは約３５０〜３８０ｍｍ、この実施形態では約３７５ｍｍとしている。前ウエスト域１１を形成する前ウエスト部材２０の縦方向Ｙの長さ寸法は約８０〜１３０ｍｍ、好ましくは約８５〜１２５ｍｍ、この実施形態では約９０ｍｍである。後ウエスト域１２を形成する後ウエスト部材３０の縦方向Ｙの長さ寸法は約１５０〜１９０ｍｍ、好ましくは約１５５〜１８５ｍｍ、この実施形態では約１５５ｍｍである。
【００４９】
おむつ１０の前後ウエスト部材２０，３０には、その一部においてクロッチ部材４０が重なっているが、前ウエスト部材２０では、吸液構造体４１の縦方向Ｙの長さ寸法の約７０ｍｍがこれに重なり、後ウエスト部材３０では、約８０ｍｍがこれに重なっている。すなわち、前ウエスト部材２０の縦方向Ｙの長さ寸法の約４５％、後ウエスト部材３０の約２４％を吸液構造体４１がそれぞれ占めている。
さらに、これら重なった位置において、前後接合領域６６，６７が形成されるが、その縦方向Ｙの長さは、それぞれ約６０ｍｍ、約４５ｍｍとされている。前接合領域６６の縦方向Ｙの長さ寸法は、前ウエスト域１１の縦方向Ｙの長さ寸法の約４５〜７０％、好ましくは約５５％〜６７％とされ、後接合領域６７の縦方向Ｙの長さ寸法は、後ウエスト域１２の縦方向Ｙの長さ寸法の約３０〜５０％、好ましくは約２９％とされている。
【００５０】
前後接合領域６６，６７は、前後ウエスト部材２０，３０の前後弾性部材２３，３３に重なるように形成されている。すなわち、前後弾性部材２３，３３は、吸液構造体４１と重なる部分においては、仮想縦中心線Ｐ−Ｐ近傍で、その収縮力が作用しないように離間して取り付けられている。しかし、その前後弾性部材２３，３３は、両側縁２４，３４から仮想縦中心線Ｐ−Ｐへ向かって、少なくとも前後接合領域６６，６７と交差するまで延びている。したがって、前後接合領域６６，６７を確実に着用者の身体側へと押し付けることができ、吸液構造体４１と着用者との間の空隙形成を防止することができる。
【００５１】
この発明は、おむつ１０の縦方向Ｙの長さ寸法が小さい、特に乳幼児に最適なおむつを対象とすることができる。おむつ１０の縦方向Ｙの長さ寸法を小さくした場合であっても、尿等の吸収量が少なくならないように、吸液構造体４１は小さくしないようにすることが好ましい。そうすると、上記のようにおむつ１０に対する吸液構造体４１の占める割合が大きくなる。吸液構造体４１はその剛性が一般的に大きいから、吸液構造体４１が占める割合が大きくなると、前後ウエスト部材２０，３０が着用者の身体に密着し難くなる可能性がある。しかし、この実施形態では、前後接合領域６６，６７を形成することによって、前後ウエスト域１１，１２において吸液構造体４１を着用者に密着させることができ、おむつ１０のずれ落ちを防止することができるとともに、着用者との間の空隙形成も防止することができる。
【００５２】
後ウエスト部材３０の縦方向Ｙの長さ寸法は、前ウエスト部材２０の長さ寸法に比べて大きくなるようにしている。このようなおむつ１０では、図１および図６に示したように、後ろウエスト部材３０の下端領域３０ａがクロッチ域１３側へと延出して、着用者の臀を被覆するように機能する。このような後ウエスト部材３０は、レッグ開口をその縦方向Ｙに亘って覆うように延びていることが好ましい。すなわち、後ウエスト部材３０の下端領域３０ａは、ウエスト開口端縁から漏れバリアカフ６０の遠位縁６３を越えてクロッチ域１３側へと延びていることが好ましい。このように形成することによって、下端領域３０ａが着用者の臀を覆って、レッグ開口から排泄物が漏れたとしても、これを受け止めることができる。したがって、排泄物が着用者や着衣に付着するのを防止することができる。特に寝たままの乳幼児等からおむつ１０を脱がせる場合には、レッグ開口から排泄物が漏れやすくなるが、これを防止することができる。
【００５３】
クロッチ部材４０の縦方向Ｙ外側には、前後弾性部材２３，３３よって弾性化された前後外側弾性領域２７，３７が形成され、この前後外側弾性領域２７，３７の縦方向Ｙ内側には、前後内側弾性領域２８，３８が形成されている。前外側弾性領域２７は、その一部が前フラップ部４８を含み、後外側弾性領域２８は後フラップ部４９よりも外側に位置している。前後外側弾性領域２７，３７の伸張応力は、前後内側弾性領域２８，３８の伸張応力よりも小さくされている。すなわち、前後内側弾性領域２８，３８の伸張応力を大きくすることによって、クロット部材４０の吸液構造体４１を着用者の身体側に密着させ、おむつがずれ落ちるのを防止することができる。
【００５４】
前後ウエスト部材２０，３０を横方向Ｘに弾性化するために、複数条の弾性糸を用いているが、これに限られることなく、弾性シートや帯状の弾性体等の種々の弾性部材を用いることができる。同様に、ガスケット弾性部材５５およびバリア弾性部材６４も、種々の弾性部材を用いることができる。吸液構造体４１として、中間部４７の横方向Ｘの長さ寸法が、前後部４５，４６のそれよりも小さいものを用いているが、これら中間部４７および前後部４５，４６の横方向Ｘの長さ寸法がすべて同寸法のものを用いることも可能である。
【符号の説明】
【００５５】
１０    おむつ（着用物品）
１１    前ウエスト域
１２    後ウエスト域
１３    クロッチ域
２０    前ウエスト部材
２３    前弾性部材
２７    前外側弾性領域
２８    前内側弾性領域
３０    後ウエスト部材
３０ａ  下端領域
３３    後弾性部材
３７    後外側弾性領域
３８    後内側弾性領域
４０    クロッチ部材
４１    吸液構造体
４５    前部
４６    後部
４７    中間部
５０    ガスケットカフ
５２    内側縁
５３    外側縁
５５    ガスケット弾性部材
６０    漏れバリアカフ
６２    近位縁
６３    遠位縁
６４    バリア弾性部材
６５    仮想折曲線
６６    前接合領域
６７    後接合領域
Ｘ      横方向
Ｙ      縦方向
【図１】
0005483682.tif 000002
【図２】
0005483682.tif 000003
【図３】
0005483682.tif 000004
【図４】
0005483682.tif 000005
【図５】
0005483682.tif 000006
【図６】
0005483682.tif 000007